(57)【要約】【課題】インタラクション環境に基づいて、アイテムを決定する方法及びその装置を提供する。【解決手段】インタラクション環境に基づいて、アイテムを決定する方法及びその装置に係り、例えば、デバイスが物品の決済に利用されるカードを決定する方法は、デバイスに保存されたカードに係わるカード使用履歴を獲得する段階と、デバイスの決済環境に係わる情報を獲得する段階と、獲得された決済環境に係わる情報及び保存されたカード使用履歴に基づいて、決済に利用されるカードを決定する段階と、決定されたカードに係わる決済情報をＰＯＳ（point of sale）端末に提供する段階と、を含む。【選択図】図１
2014044719.tif 000002
【特許請求の範囲】
【請求項１】
デバイスが物品の決済に利用されるカードを決定する方法において、
前記デバイスを介して利用されるカードに係わるカード使用履歴を獲得する段階と、
前記デバイスの決済環境に係わる情報を獲得する段階と、
前記獲得された決済環境に係わる情報及び前記カード使用履歴に基づいて、前記決済に利用されるカードを決定する段階と、
前記決定されたカードに係わる決済情報をＰＯＳ（point of sale）端末に提供する段階と、を含む方法。
【請求項２】
前記決済環境に係わる情報を獲得する段階は、前記デバイスの位置情報を獲得し、
前記カードを決定する段階は、前記獲得された位置情報に基づいて、前記決済に利用されるカードを決定することを特徴とする請求項１に記載の方法。
【請求項３】
前記カードを決定する段階は、
前記カード使用履歴に基づいて、前記決済環境に係わるカードを抽出し、前記抽出されたカードに係わる恩典を比較し、前記決済に利用されるカードを推薦することを特徴とする請求項１に記載の方法。
【請求項４】
前記カード使用履歴は、カード番号、決済時間、決済日付、決済位置及び物品名のうち少なくとも一つを含むことを特徴とする請求項３に記載の方法。
【請求項５】
前記推薦されたカードのイメージは、前記デバイスのロッキング解除画面上にディスプレイされ、
前記カードを決定する段階は、前記ロッキング解除上にディスプレイされたカードイメージに対するユーザの入力に基づいて、前記カードを決定することを特徴とする請求項３に記載の方法。
【請求項６】
前記決定されたカードに係わる決済が安全である場合、前記決定されたカードの決済ウィンドウの少なくとも一部の色相が、既設定の色相で表示されることを特徴とする請求項３に記載の方法。
【請求項７】
前記ＰＯＳ端末から物品情報を受信する段階をさらに含み、
前記物品情報は、有効期間、時間、物品の識別値、物品の金額、及び前記ＰＯＳ端末に対応する加盟店の識別値のうち少なくとも一つを含むことを特徴とする請求項１に記載の方法。
【請求項８】
前記デバイスのディスプレイ・モードを判断する段階をさらに含み、
前記カードを決定する段階は、前記ディスプレイ・モードによって、前記推薦されたカードのリストを画面に表示するか否かを決定し、前記推薦されたカードのリストに係わるユーザ入力に基づいて、前記決済に利用されるカードを選択することを特徴とする請求項３に記載の方法。
【請求項９】
前記ディスプレイ・モードは、横ビューモード及び縦ビューモードのうち少なくとも一つを含むことを特徴とする請求項７に記載の方法。
【請求項１０】
前記物品情報を受信する段階は、近距離通信を介して、前記ＰＯＳ端末から前記物品情報を受信し、
前記選択されたカードに係わる決済情報を提供する段階は、前記近距離通信を介して、前記決済情報を、前記ＰＯＳ端末に提供することを特徴とする請求項１に記載の方法。
【請求項１１】
物品の決済に利用されるカードを決定するデバイスにおいて、
デバイスを介して利用されるカードに係わるカード使用履歴を保存するカード履歴保存部と、
前記デバイスの決済環境に係わる情報を獲得する決済環境情報獲得部と、
前記獲得された決済環境に係わる情報及び前記カード使用履歴に基づいて、前記決済に利用されるカードを選択するカード選択部と、
前記選択されたカードに係わる決済情報をＰＯＳ（point of sale）端末に提供するカード情報提供部と、を含むデバイス。
【請求項１２】
第１ユーザと第２ユーザとのインタラクションの遂行と係わる第１デバイスを利用する方法において、
前記第１デバイスは、前記第１ユーザに対する入出力機能を提供するためのグラフィック・ユーザインターフェースを含み、
前記第１ユーザに係わる複数のアイテムに係わる情報にアクセスする段階として、前記情報は、第１アイテムの使用履歴に係わる第１アイテム情報、及び第２アイテムの使用履歴に係わる第２アイテム情報を含む段階と、
前記インタラクションが行われる環境に係わる環境情報を獲得する段階と、
前記アクセスされた情報及び前記獲得された環境情報に基づいて、前記複数のアイテムのうち、前記インタラクションの遂行に係わるアイテムを選択し、前記選択結果に基づいて、前記インタラクションの遂行に係わる情報を生成するために、前記第１デバイスを利用する段階と、
前記第２ユーザに係わる第２デバイスに、前記インタラクションの遂行に係わる前記生成された情報を伝送する段階と、
前記インタラクションの遂行に係わる前記生成された情報の少なくとも一部を、前記グラフィック・ユーザインターフェースを介して、前記第１デバイスの画面上にディスプレイする段階と、を含む方法。
【請求項１３】
前記第１アイテム情報は、複数の第１アイテム情報特性を含み、前記第２アイテム情報は、複数の第２アイテム情報特性を含み、前記環境情報は、複数の環境情報特性を含み、
前記第１デバイスを利用する段階は、前記複数の環境情報特性それぞれのための前記複数のアイテムそれぞれに対して優先順位値をそれぞれ割り当て、
それぞれの前記第１アイテム情報特性、それぞれの前記第２アイテム情報特性、及びそれぞれの前記環境情報特性に対して、加重値をそれぞれ割り当てることを特徴とする請求項１２に記載の方法。
【請求項１４】
前記第１アイテム情報は、前記第１アイテムの使用と係わり、前記第１ユーザに付与される少なくとも１つの利益（perquisite）にさらに係わり、前記第１アイテム情報は、前記第２アイテムの使用と係わり、前記第１ユーザに付与される少なくとも１つの利益にさらに係わることを特徴とする請求項１２に記載の方法。
【請求項１５】
前記第１ユーザの入力を受信するために、前記複数のアイテムに係わる前記第１デバイスのグラフィック・ユーザインターフェースを提供する段階をさらに含み、
前記第１デバイスを利用する段階は、前記グラフィック・ユーザインターフェースを介して受信されるユーザ入力に基づいたことを特徴とする請求項１２に記載の方法。
【請求項１６】
前記グラフィック・ユーザインターフェースを提供する段階は、前記グラフィック・ユーザインターフェースを介して、前記第１デバイスの画面上に、前記複数のアイテムのうち少なくとも一つに係わるアイテム特性情報をディスプレイすることを特徴とする請求項１５に記載の方法。
【請求項１７】
前記グラフィック・ユーザインターフェースを提供する段階は、前記グラフィック・ユーザインターフェースを介して、前記第１デバイスの画面上に、前記複数のアイテムそれぞれに対応する複数のイメージをディスプレイし、
前記アクセスされた情報及び前記獲得された環境情報に基づいた推薦情報を、前記画面上にディスプレイすることを特徴とする請求項１５に記載の方法。
【請求項１８】
前記選択されたアイテムと係わり、前記第１ユーザに係わる認証情報を受信するために、前記第１デバイスを利用する段階と、
前記受信された認証情報を利用し、前記インタラクションが安全に行われるか否かを決定するために、前記受信された認証情報を利用する段階と、をさらに含むことを特徴とする請求項１２に記載の方法。
【請求項１９】
前記環境情報を獲得する段階は、前記第１デバイスの位置に係わる環境情報を獲得し、
前記第１デバイスを利用する段階は、前記第１デバイスの位置に係わる前記獲得された環境情報に基づいて、前記アイテムを選択するように、前記第１デバイスを利用することを特徴とする請求項１２に記載の方法。
【請求項２０】
前記環境情報は、現在日付、現在時刻、前記インタラクションに係わる有効期間、前記インタラクションに係わる識別値、前記第２ユーザに係わる識別情報、及び前記第２デバイスに係わる識別情報のうち少なくとも一つを含むことを特徴とする請求項１２に記載の方法。
【請求項２１】
前記第１デバイスのディスプレイ・モードを決定する段階をさらに含み、
前記第１デバイスを利用する段階は、
前記決定されたディスプレイ・モードに基づいて、前記第１デバイスのスクリーン上の前記グラフィック・ユーザインターフェースを介して、推薦アイテムのリストをディスプレイするか否かを決定する段階と、
前記ディスプレイされた前記推薦アイテムのリストに係わるユーザ入力に基づいて、前記インタラクションで使用されるアイテムを選択する段階と、をさらに含むことを特徴とする請求項１２に記載の方法。
【請求項２２】
前記ディスプレイ・モードは、横ビューモード及び縦ビューモードのうち少なくとも一つを含むことを特徴とする請求項２１に記載の方法。
【請求項２３】
前記環境情報を獲得する段階は、近距離通信を介して、前記第２デバイスから前記環境情報を受信し、
前記インタラクションに係わる前記生成された情報を伝送する段階は、前記近距離通信を介して、前記第２デバイスに前記生成された情報を伝送することを特徴とする請求項１２に記載の方法。
【請求項２４】
第１ユーザと第２ユーザとのインタラクションの遂行と係わる利用のための第１デバイスにおいて、
第１アイテムの使用履歴に係わる第１アイテム情報、及び第２アイテムの使用履歴に係わる第２アイテム情報を含む情報、及び第１ユーザに係わるそれぞれの複数のアイテムに係わるアイテム関連情報を保存するメモリと、
前記インタラクションが行われる環境に係わる環境情報を受信する送受信部と、
前記アイテム関連情報、及び前記受信された環境情報に基づいて、前記複数のアイテムのうち、前記インタラクションの遂行に係わって使用されるアイテムを選択し、前記選択結果に基づいて、前記インタラクションの遂行に係わる情報を生成する制御部と、を含み、
前記送受信部は、前記第２ユーザに係わる第２デバイスに、前記インタラクションの遂行に係わる前記生成された情報を伝送する第１デバイス。
【発明の詳細な説明】
【技術分野】
【０００１】
本発明は、インタラクション環境によってアイテムを決定する方法及びその装置に係り、特に、決済のようなインタラクション環境に基づいて、カードを選択する方法及びその装置に関する。
【背景技術】
【０００２】
最近、コンピュータ・ネットワーク環境の急速な発展によって、インターネットを利用した電子商取引が一般人らにも広く拡散している。インターネットで商品を購買する場合、購買に対する決済方法としては、銀行間口座振込み、クレジットカード使用などがあり、最近では、電子財布形式や電子カード形式の電子マネーの使用も増えている。
【０００３】
また、このところ、銀行金融取り引き時や商取引時に、モバイル端末を利用した決済が増加している。ところで、ＩＣ（integrated circuit）チップカードの発達によって、チップカードのメモリが大きく増大し、１枚のチップカードに、何枚かのカードが保存されている。また、ＩＣチップカードを装着したモバイル端末には、サイドキー（side key）あるいはホットキー（hot key）を一側面に付着させ、支払い決済時にそれを利用する。しかし、ユーザがモバイル端末に保存されたカードを利用して決済を行うためには、モバイル端末のロッキングを解除し、メニュー方式で操作キーを押して所望カードを選択した後、決済キーを押して決済をしなければならないので、多くの不都合が伴った。
【発明の概要】
【発明が解決しようとする課題】
【０００４】
本発明の課題は、多様な決済環境によって適切なカードを決定し、選択されたカードを利用して決済を行わせるカード決定方法及びその装置を提供するところにある。
【課題を解決するための手段】
【０００５】
前述の技術的課題を達成するための技術的手段として、本発明の第１側面は、デバイスを介して利用されもするカードに係わるカード使用履歴を獲得する段階と、前記デバイスの決済環境に係わる情報を獲得する段階と、前記獲得された決済環境に係わる情報及び前記カード使用履歴に基づいて、前記決済に利用されるカードを決定する段階と、前記決定されたカードに係わる決済情報をＰＯＳ（point of sale）端末に提供する段階と、を含む、デバイスが物品の決済に利用されるカードを決定する方法を提供することができるものである。
【０００６】
また、前記方法において、前記決済環境に係わる情報を獲得する段階は、前記デバイスの位置情報を獲得し、前記カードを決定する段階は、前記獲得された位置情報に基づいて、前記決済に利用されるカードを決定することができる。
【０００７】
また、前記カードを決定する段階は、前記カード使用履歴に基づいて、前記決済環境に係わるカードを抽出し、前記抽出されたカードに係わる恩典（benefit）を比較し、前記決済に利用されるカードを推薦することができる。
【０００８】
また、前記カード使用履歴は、カード番号、決済時間、決済日付、決済位置及び物品名のうち少なくとも一つを含んでもよい。
【０００９】
また、前記推薦されたカードのイメージは、前記デバイスのロッキング解除画面上にディスプレイされ、前記カードを決定する段階は、前記ロッキング解除上にディスプレイされたカードイメージに対するユーザの入力に基づいて、前記カードを決定することができる。
【００１０】
また、前記決定されたカードに係わる決済が安全である場合、前記決定されたカードの決済ウィンドウの少なくとも一部の色相が既設定の色相で表示されもする。
【００１１】
また、前記方法は、前記ＰＯＳ端末から物品情報を受信する段階をさらに含み、前記物品情報は、有効期間、時間、物品の識別値、物品の金額、及び前記ＰＯＳ端末に対応する加盟店の識別値のうち少なくとも一つを含んでもよい。
【００１２】
また、前記方法は、前記デバイスのディスプレイ・モードを判断する段階をさらに含み、前記カードを決定する段階は、前記ディスプレイ・モードによって、前記推薦されたカードのリストを画面に表示するか否かを決定し、前記推薦されたカードのリストに対するユーザ入力に基づいて、前記決済に利用されるカードを選択することができる。
【００１３】
また、前記ディスプレイ・モードは、横ビューモード及び縦ビューモードのうち少なくとも一つを含んでもよい。
【００１４】
また、前記物品情報を受信する段階は、近距離通信を介して、前記ＰＯＳ端末から前記物品情報を受信し、前記選択されたカードに係わる決済情報を提供する段階は、前記近距離通信を介して、前記決済情報を、前記ＰＯＳ端末に提供することができる。
【００１５】
また、本発明の第２側面は、デバイスを介して利用されもするカードに係わるカード使用履歴を保存するカード履歴保存部と、前記デバイスの決済環境に係わる情報を獲得する決済環境情報獲得部と、前記獲得された決済環境に係わる情報及び前記カード使用履歴に基づいて、前記決済に利用されるカードを選択するカード選択部と、前記選択されたカードに係わる決済情報をＰＯＳ端末に提供するカード情報提供部と、を含むものである、物品の決済に利用されるカードを決定するデバイスを提供することができるものである。
【００１６】
また、前記決済環境情報獲得部は、前記デバイスの位置情報を獲得し、前記カード選択部は、前記獲得された位置情報に基づいて、前記決済に利用されるカードを決定することができる。
【００１７】
また、前記カード選択部は、前記カード使用履歴に基づいて、前記決済環境に係わるカードを抽出し、前記抽出されたカードに係わる恩典を比較し、前記決済に利用されるカードを推薦することができる。
【００１８】
また、前記カード使用履歴は、カード番号、決済時間、決済日付、決済位置及び物品名のうち少なくとも一つを含んでもよい。
【００１９】
また、前記推薦されたカードのイメージは、前記デバイスのロッキング解除画面上にディスプレイされ、前記カード選択部は、前記ロッキング解除上にディスプレイされたカードイメージに対するユーザの入力に基づいて、前記カードを決定することができる。
【００２０】
また、前記決定されたカードに係わる決済が安全である場合、前記決定されたカードの決済ウィンドウの少なくとも一部の色相が既設定の色相で表示されもする。
【００２１】
また、前記カード選択部は、前記デバイスのディスプレイ・モードによって、前記推薦されたカードのリストを画面に表示するか否かを決定し、前記推薦されたカードのリストに対するユーザ入力に基づいて、前記決済に利用されるカードを選択することができる。
【００２２】
また、前記ディスプレイ・モードは、横ビューモード及び縦ビューモードのうち少なくとも一つを含んでもよい。
【００２３】
また、前記カード情報提供部は、近距離通信を介して、前記決済情報を、前記ＰＯＳ端末に提供することができる。
【００２４】
また、本発明の第３側面は、第１側面の方法をコンピュータで実行させるプログラムを記録したコンピュータで読み取り可能な記録媒体を提供することができるものである。
【００２５】
また、本発明の第４側面は、第１デバイスは、第１ユーザに対する入出力機能を提供するためのグラフィック・ユーザインターフェースを含み、前記第１ユーザに係わる複数のアイテムに係わる情報にアクセスする段階として、前記情報は、第１アイテムの使用履歴に係わる第１アイテム情報、及び第２アイテムの使用履歴に係わる第２アイテム情報を含む段階と、前記インタラクションが行われる環境に係わる環境情報を獲得する段階と、前記アクセスされた情報及び前記獲得された環境情報に基づいて、前記複数のアイテムのうち、前記インタラクションの遂行に係わるアイテムを選択し、前記選択結果に基づいて、前記インタラクションの遂行に係わる情報を生成するために、前記第１デバイスを利用する段階と、前記第２ユーザに係わる第２デバイスに、前記インタラクションの遂行に係わる前記生成された情報を伝送する段階と、前記インタラクションの遂行に係わる前記生成された情報の少なくとも一部を、前記グラフィック・ユーザインターフェースを介して、前記第１デバイスの画面上にディスプレイする段階と、を含む、前記第１ユーザと前記第２ユーザとのインタラクションの遂行と係わる第１デバイスを利用する方法を提供することができるものである。
【００２６】
また、前記第１アイテム情報は、複数の第１アイテム情報特性を含み、前記第２アイテム情報は、複数の第２アイテム情報特性を含み、前記環境情報は、複数の環境情報特性を含み、前記第１デバイスを利用する段階は、前記複数の環境情報特性それぞれのための前記複数のアイテムそれぞれに対して優先順位値をそれぞれ割り当て、それぞれの前記第１アイテム情報特性、それぞれの前記第２アイテム情報特性、及びそれぞれの前記環境情報特性に対して、加重値をそれぞれ割り当てることができる。
【００２７】
また、前記第１アイテム情報は、前記第１アイテムの使用と係わり、前記第１ユーザに付与される少なくとも１つの利益（perquisite）にさらに係わり、前記第１アイテム情報は、前記第２アイテムの使用と係わり、前記第１ユーザに付与される少なくとも１つの利益にさらに係わる。
【００２８】
また、前記方法は、前記第１ユーザの入力を受信するために、前記複数のアイテムに係わる前記第１デバイスのグラフィック・ユーザインターフェースを提供する段階をさらに含み、前記第１デバイスを利用する段階は、前記グラフィック・ユーザインターフェースを介して受信されるユーザ入力に基づく。
【００２９】
また、前記グラフィック・ユーザインターフェースを提供する段階は、前記グラフィック・ユーザインターフェースを介して、前記第１デバイスの画面上に、前記複数のアイテムのうち少なくとも一つに係わるアイテム特性情報をディスプレイすることができる。
【００３０】
また、前記グラフィック・ユーザインターフェースを提供する段階は、前記グラフィック・ユーザインターフェースを介して、前記第１デバイスの画面上に、前記複数のアイテムそれぞれに対応する複数のイメージをディスプレイし、前記アクセスされた情報及び前記獲得された環境情報に基づいた推薦情報を、前記画面上にディスプレイすることができる。
【００３１】
また、前記方法は、前記選択されたアイテムと係わり、前記第１ユーザに係わる認証情報を受信するために、前記第１デバイスを利用する段階と、前記受信された認証情報を利用し、前記インタラクションが安全に行われるか否かを決定するために、前記受信された認証情報を利用する段階と、をさらに含んでもよい。
【００３２】
また、前記環境情報を獲得する段階は、前記第１デバイスの位置に係わる環境情報を獲得し、前記第１デバイスを利用する段階は、前記第１デバイスの位置に係わる前記獲得された環境情報に基づいて、前記アイテムを選択するように、前記第１デバイスを利用することができる。
【００３３】
また、前記環境情報は、現在日付、現在時刻、前記インタラクションに係わる有効期間、前記インタラクションに係わる識別値、前記第２ユーザに係わる識別情報、及び前記第２デバイスに係わる識別情報のうち少なくとも一つを含んでもよい。
【００３４】
また、前記方法は、前記第１デバイスのディスプレイ・モードを決定する段階をさらに含み、前記第１デバイスを利用する段階は、前記決定されたディスプレイ・モードに基づいて、前記第１デバイスのスクリーン上の前記グラフィック・ユーザインターフェースを介して、推薦アイテムのリストをディスプレイするか否かを決定する段階と、前記ディスプレイされた前記推薦アイテムのリストに対するユーザ入力に基づいて、前記インタラクションで使用されるアイテムを選択する段階と、をさらに含んでもよい。
【００３５】
また、前記ディスプレイ・モードは、横ビューモード及び縦ビューモードのうち少なくとも一つを含んでもよい。
【００３６】
また、前記環境情報を獲得する段階は、近距離通信を介して、前記第２デバイスから前記環境情報を受信し、前記インタラクションに係わる前記生成された情報を伝送する段階は、前記近距離通信を介して、前記第２デバイスに前記生成された情報を伝送することができる。
【００３７】
また、本発明の第５側面は、第１アイテムの使用履歴に係わる第１アイテム情報、及び第２アイテムの使用履歴に係わる第２アイテム情報を含む情報、及び第１ユーザに係わるそれぞれの複数のアイテムに係わるアイテム関連情報を保存するメモリと、前記インタラクションが行われる環境に係わる環境情報を受信する送受信部と、前記アイテム関連情報、及び前記受信された環境情報に基づいて、前記複数のアイテムのうち、前記インタラクションの遂行に係わって使用されるアイテムを選択し、前記選択結果に基づいて、前記インタラクションの遂行に係わる情報を生成する制御部と、を含み、前記送受信部は、前記第２ユーザに係わる第２デバイスに、前記インタラクションの遂行に係わる前記生成された情報を伝送するものである、第１ユーザと第２ユーザとのインタラクションの遂行と係わる利用のための第１デバイスを提供することができるものである。
【００３８】
また、本発明の第６側面は、第４側面の方法をコンピュータで実行させるプログラムを記録したコンピュータで読み取り可能な記録媒体を提供することができるものである。
【図面の簡単な説明】
【００３９】
【図１】本発明の一実施形態による、決済環境によって選択されたカードを利用して物品の決済を行う決済システムの全体概要図である。
【図２】本発明の一実施形態による、デバイスが決済環境によって決済に利用されるカードを選択し、選択されたカードに係わるカード情報を提供する方法のフローチャートである。
【図３】本発明の一実施形態による、デバイスがカード推薦リストを表示し、ユーザ入力によって決済に利用されるカードを選択する方法のフローチャートである。
【図４】本発明の一実施形態による、デバイスが決済履歴に含まれた項目によって、カード別に優先順位を設定したテーブルの一例を図示した図面である。
【図５】本発明の一実施形態による、デバイスによって推薦されたカード別恩典情報テーブルの一例を図示した図面である。
【図６】本発明の一実施形態による、デバイスが決済環境の優先順位によって、カードを抽出する方法の一例を図示した図面である。
【図７】本発明の一実施形態による、デバイスが横ビューモードで、カードの推薦リストを表示する一例を図示した図面である。
【図８】本発明の一実施形態による、デバイスのロッキング解除画面上に、カードイメージが表示される一例を図示した図面である。
【図９】本発明の一実施形態による、デバイスに表示された決済ウィンドウの一例を図示した図面である。
【図１０】本発明の一実施形態による、デバイスのロッキング解除画面上に、カード情報が表示される一例を図示した図面である。
【図１１】本発明の一実施形態による、ディスプレイ・モードによって、デバイスの画面にカード情報が異なって表示される一例を図示した図面である。
【図１２】本発明の一実施形態によるデバイスのブロック図である。
【図１３】本発明の他の実施形態によるデバイスのブロック図である。
【図１４】本発明の一実施形態による、デバイスが位置情報及びカード情報をマッチングする方法のフローチャートである。
【図１５】本発明の一実施形態による、デバイスが位置情報に基づいて、カードを推薦する方法のフローチャートである。
【図１６】本発明の一実施形態による、デバイスがユーザのスケジュール情報から抽出された商店名をカードとマッチングさせる方法のフローチャートである。
【図１７】本発明の一実施形態による、デバイスが所定の商店名にマッチングされたカードに係わるカード情報をディスプレイする方法のフローチャートである。
【図１８】本発明の一実施形態による、デバイスの画面に、デバイスの位置または商店名と係わるカードが、ディスプレイされる一例を図示した図面である。
【発明を実施するための形態】
【００４０】
以下、添付した図面を参照し、本発明が属する技術分野当業者が容易に実施するように、本発明の実施形態について詳細に説明する。しかし、本発明は、さまざまに異なる形態で具現され、ここで説明する実施形態に限定されるものではない。そして、図面で、本発明を明確に説明するために、説明と関係のない部分は省略し、明細書全体を通じて、類似した部分については、類似した図面符号を付した。
【００４１】
明細書全体で、ある部分が他の部分と「連結」されているとするとき、それは、「直接的に連結」されている場合だけではなく、その中間に他の素子を間に置いて、「電気的に連結」されている場合も含む。また、ある部分がある構成要素を「含む」とするとき、それは、特別に限定する記載がない限り、他の構成要素を除くものではなく、他の構成要素をさらに含んでもよいということを意味する。
【００４２】
また、本明細書で、カードは、物品またはサービスに対する決済と係わるカードであり、例えば、クレジットカード、マイレージカード、ポイントカードを含んでもよいが、それらに制限されるものではない。
【００４３】
以下、添付された図面を参照し、本発明について詳細に説明する。
【００４４】
図１は、本発明の一実施形態による、決済環境によって選択されたカードを利用して、物品の決済を行う決済システムの全体概要図である。
【００４５】
図１に図示されたように、本発明の一実施形態による決済システムは、デバイス１０００、ＰＯＳ（point of sale）端末２０００及び決済サーバ３０００を含む。
【００４６】
デバイス１０００は、決済環境によって適切なカードを選択し、選択されたカードに係わるカード情報を、ＰＯＳ端末２０００に提供する。また、ＰＯＳ端末２０００は、受信された決済情報を、決済サーバ３０００に提供し、決済サーバ３０００がデバイス１０００に対する決済を行うようにすることができる。
【００４７】
デバイス１０００は、ユーザのカードに係わるカード情報、及びカードに係わる恩典（benefit）に係わるカード恩典情報を保存することができる。また、デバイス１０００は、時間、場所、決済の用途と係わるユーザのカード決済履歴を保存することができる。また、デバイス１０００は、保存されたカード情報及びカード決済履歴に基づいて、デバイス１０００の決済環境によって、カードを推薦することができる。また、デバイス１０００は、ディスプレイ・モードによって、決済に利用されるカードを自動的に選択するか、あるいはユーザ入力に基づいて、選択するかを決定することができる。
【００４８】
デバイス１０００は、スマートフォン、携帯電話、ＰＤＡ（personal digital assistant）、ラップトップ、メディアプレイヤ、ＧＰＳ（global positioning system）装置、ラップトップ、及びその他のモバイルまたは非モバイルのコンピュータ装置でもあるが、それらに制限されるものではない。
【００４９】
他の実施形態によれば、図１は、第１ユーザと第２ユーザとのインタラクションを行うためのシステムを示すと理解されもする。デバイス１０００は、第１ユーザに係わるデバイスであり、デバイス２０００は、第２ユーザに係わるデバイスであると理解されもする。前記の例示では、インタラクションが決済であるに言及されたが、他のインタラクションが遂行されもする。
【００５０】
例えば、旅行者が航空機の搭乗を準備し、搭乗券を獲得するために、チェックインして荷物をチェックする必要がある。
【００５１】
このようなシナリオで、旅行者は、第１ユーザであると理解され、航空会社は、第２ユーザであると理解されもする。第２デバイス２０００は、例えば、空港のキオスク（kiosk）、または航空会社のインターネット・ウェブサイトにリンクされたコンピュータでもある。旅行者は、第１デバイス１０００で動作するモバイルフォンを所持することができ、モバイルフォンは、搭乗のためのチェックイン及び荷物チェックのために利用されもするアイテム（例えば、パスポート、運転免許証、クレジットカード）に係わるイメージをディスプレイすることができる。
【００５２】
さらに他の実施形態によれば、ソーシャルメディア・ユーザが最近の経験に係わる情報をアップロードするために準備することができる。このようなシナリオで、ソーシャルメディア・ユーザは、第１ユーザであると理解され、第２ユーザは、ソーシャルメディア・ウェブサイトでもある。第２デバイスは、例えば、ソーシャルメディア・ウェブサイトにアクセスするのに利用されもする全ての端末でもある。ソーシャルメディア・ユーザは、第１デバイス１０００で動作するモバイルフォンを所持することができ、モバイルフォンは、ソーシャルメディア・サイトに情報をアップロードするために選択されもするアイテム（例えば、写真、テキスト・メッセージ、ＵＲＬ（uniform resource locator）リンク）に係わるイメージをディスプレイすることができる。
【００５３】
図２は、本発明の一実施形態による、デバイス１０００が決済環境によって決済に利用されるカードを選択し、選択されたカードに係わるカード情報を提供する方法のフローチャートである。
【００５４】
段階Ｓ２００で、デバイス１０００は、カード情報及びカード恩典情報を保存する。デバイス１０００は、ユーザ入力に基づいて、ユーザが所持したカードに係わる情報を保存することができる。カード情報は、カードの種類、カード番号及びカードの有効期間に係わる情報を含んでもよい。また、デバイス１０００は、決済サーバ３０００からカード情報を受信し、受信されたカード情報を保存することもできる。決済サーバ３０００は、クレジットカード社で運営するサーバでもあるが、それに制限されるものではない。その場合、デバイス１０００は、デバイス１０００に保存されたユーザ・プロファイル情報を、決済サーバ３０００に提供し、決済サーバ３０００から提供されたユーザ・プロファイル情報に対応するカード情報を受信することができる。また、ユーザが新規に発給されたカードがある場合、デバイス１０００は、新規に発給されたカードに係わるカード情報を受信することもできる。
【００５５】
また、デバイス１０００は、ユーザ入力に基づいて、デバイス１０００に保存されたカード別カード恩典情報を保存することができる。デバイス１０００は、カード恩典情報を入力するためのユーザインターフェースを提供することができ、ユーザは、ユーザインターフェースを介して、デバイス１０００に保存されたカード別カード恩典情報を入力することができる。また、デバイス１０００は、決済サーバ３０００からカード恩典情報を受信し、受信されたカード恩典情報を保存することができる。カード恩典情報は、カード別にマッチングされて保存され、例えば、価格割引情報、ポイント積み立て情報及びクーポン情報を含んでもよい。また、カード恩典情報は、カードが利用される加盟店について異なる恩典についての情報を含んでもよい。
【００５６】
段階Ｓ２０５で、デバイス１０００は、ユーザのカード使用履歴を保存する。カード使用履歴は、例えば、決済に利用されたカード番号、決済時間、決済日付、加盟店名、決済位置、物品名、及びカード決済時に提供された恩典に係わる情報を含んでもよい。ユーザが、デバイス１０００を介してカード決済をする場合、デバイス１０００は、決済に利用されたカードの使用履歴を保存することができるが、それに制限されるものではない。デバイス１０００を介したカード履歴情報が、決済サーバ３０００に累積されて保存され、デバイス１０００は、決済サーバ３０００に保存されたカード履歴情報を決済サーバ３０００から受信することもできる。
【００５７】
段階Ｓ２１０で、デバイス１０００は、決済環境に係わる情報を獲得する。ユーザが、デバイス１０００を介してカード決済を試みる場合、デバイス１０００は、決済環境に係わる情報を獲得することができる。デバイス１０００は、決済環境に係わる情報を、デバイス１０００内のセンサ、ＰＯＳ端末２０００及び決済サーバ３０００のうち少なくとも一つから獲得することができる。決済環境に係わる情報は、決済時間、決済位置、加盟店及び物品に係わる情報を含んでもよい。
【００５８】
具体的には、デバイス１０００は、デバイス１０００の位置に係わる情報を獲得し、獲得された位置情報に基づいて、決済を行う加盟店を確認することができる。例えば、デバイス１０００は、ＧＰＳセンサ（図示せず）を利用して、デバイス１０００の位置に係わるＧＰＳ値を確認することができる。また、デバイス１０００は、デバイス１０００と連結されたＡＰ（access point）の識別値を確認することができる。また、デバイス１０００は、ＧＰＳ値及びＡＰ識別値のうち少なくとも一つに基づいて、デバイス１０００が位置した加盟店を確認することができる。その場合、ＧＰＳ値及びＡＰ識別値に対応する加盟店の情報が、デバイス１０００または別途のサーバ（図示せず）にあらかじめ保存されている。
【００５９】
また、デバイス１０００は、決済の対象になる物品に係わる物品情報を確認することができる。デバイス１０００は、物品情報を、物品に付着したマーカーを介して確認することができるが、それに制限されるものではない。デバイス１０００は、ＰＯＳ端末２０００から、物品情報を確認することもできる。デバイス１０００は、有効期間、現在日付、現在時間、物品の識別値、物品の金額、及び前記ＰＯＳ端末に対応する加盟店の識別値のうち少なくとも一つを受信することができるが、それに制限されるものではない。
【００６０】
また、デバイス１０００は、加盟店及び物品に係わる情報に基づいて、カード別に、ポイント積み立て率、ポイント積み立て限度、割引率及び割引限度を確認することができる。加盟店及び物品によるポイント積み立て率、ポイント積み立て限度、割引率及び割引限度に係わる情報は、デバイス１０００または別途のサーバ（図示せず）にあらかじめ保存されている。
【００６１】
段階Ｓ２２０で、デバイス１０００は、決済環境に基づいて、決済に利用されるカードを選択する。
【００６２】
デバイス１０００は、カード情報、カード恩典情報及び決済履歴を利用して、獲得された決済環境で決済に利用されるカードを決定することができる。
【００６３】
具体的には、デバイス１０００は、カード決済履歴に基づいて、獲得された決済環境で、既設定の数値以上使用されたカードを抽出することができる。例えば、加盟店「Ｚ」で、カード「Ａ」、カード「Ｂ」、カード「Ｃ」及びカード「Ｄ」が使用され、獲得された決済環境に含まれた加盟店が「Ｚ」であるならば、デバイス１０００は、カード情報から、カード「Ａ」、カード「Ｂ」、カード「Ｃ」及びカード「Ｄ」を抽出することができる。また、例えば、加盟店「Ｚ」で、カード「Ｃ」、カード「Ａ」が既設定の数値以上に利用された場合、獲得された決済環境に含まれた加盟店が「Ｚ」であるならば、デバイス１０００は、カード情報から、カード「Ｃ」、カード「Ａ」を抽出することができる。
【００６４】
また、例えば、「１１：００〜１４：００」で、カード「Ａ」、カード「Ｂ」、カード「Ｃ」及びカード「Ｄ」が使用され、獲得された決済環境に含まれた決済時間が「１１：００〜１４：００」であるならば、デバイス１０００は、カード情報からカード「Ａ」、カード「Ｂ」、カード「Ｃ」及びカード「Ｄ」を抽出することができる。また、例えば、「１１：００〜１４：００」で、使用されたカードのうち、カード「Ａ」、カード「Ｂ」の優先順位が高い場合、獲得された決済環境に含まれた加盟店が「Ａ」であるならば、デバイス１０００は、カード情報からカード「Ａ」、カード「Ｂ」を抽出することができる。その場合、カードに係わる優先順位は、既設定の基準によって決定されるか、あるいはユーザ入力に基づいて、決定されもする。また、カードに係わる優先順位が、カード別恩典を反映させて決定されるが、それに制限されるものではない。
【００６５】
また、デバイス１０００は、決済履歴及び決済環境に含まれた複数の項目を考慮してカードを抽出することもできる。その場合、デバイス１０００は、決済履歴及び決済環境に含まれた項目別に所定の加重値を適用し、複数の項目に係わる加重値を考慮して、獲得された決済環境で抽出するカードを決定することができる。
【００６６】
段階Ｓ２２５で、デバイス１０００は、カード恩典情報に基づいて、決済に利用されるカードを推薦する。デバイス１０００は、カード恩典情報に基づいて、抽出されたカードに係わる恩典を比較することができ、既設定の数値以上のカードを推薦することができる。デバイス１０００は、ユーザが好むカード恩典の種類または恩典を、金額に算出した額などを考慮し、推薦するカードを決定することができる。また、デバイス１０００は、カード別に提供される恩典についての情報を画面にディスプレイし、ユーザが、ディスプレイされた恩典情報に基づいて、所定のカードを選択するようにすることができる。
【００６７】
その場合、デバイス１０００は、カードに係わる恩典情報を、決済サーバ３０００から受信することができる。デバイス１０００は、デバイス１０００に保存されたカードに係わる情報を決済サーバ３０００に伝送し、決済サーバ３０００から、カードに係わる恩典情報を受信することができるが、それに制限されるものではない。
【００６８】
デバイス１０００は、商店の端末（図示せず）から、カード恩典情報を受信することもできる。その場合、商店の端末（図示せず）は、当該商店で恩典を付与するカードの種類及び恩典に係わる情報を、商店内のデバイス１０００に伝送することができる。商店の端末（図示せず）は、ＳＭＳ（short message service）／ＭＭＳ（multi-mode service）を介して、デバイス１０００に恩典情報を提供することができるが、それに制限されるものではない。また、商店の端末（図示せず）は、ＷｉＦｉ（wireless fidelity）ネットワークを介して、恩典情報をデバイス１０００に提供することができる。
【００６９】
デバイス１０００の画面にディスプレイされる推薦されたカード別恩典情報については、図５で例を挙げて説明する。
【００７０】
また、デバイス１０００は、ディスプレイ・モードによって、決済に利用されるカードを自動的に選択したり、あるいはユーザ入力によって選択することができる。決済履歴に含まれた項目によって、カード別に設定された優先順位については、図３でさらに詳細に説明する。
【００７１】
一方、デバイス１０００は、決済に利用されるカードの推薦リストを、デバイス１０００のロッキング解除画面上に表示することもできる。例えば、推薦されたカードのイメージは、デバイス１０００のロッキング解除画面上に表示されたロッキング解除ボタン上に表示されるが、それに制限されるものではない。
【００７２】
その場合、ユーザが、ロッキング解除画面に表示されたカードイメージを選択すれば、選択されたカードに係わるＰＩＮ（personal identification number）番号を入力することができるユーザインターフェースがディスプレイされるが、それに制限されるものではない。ユーザが、ロッキング解除画面に表示されたカードイメージをタッチすれば、デバイス１０００は、ユーザのタッチ入力に基づいて、ユーザの指紋を認識し、認識された指紋に基づいて、デバイス１０００のロッキングを解除して決済を行うことができる。
【００７３】
また、ユーザが、ロッキング解除画面に表示されたカードイメージを選択すれば、ユーザイメージ及び音声に基づいて、ユーザを認証することもできる。例えば、デバイス１０００は、ユーザの顔を撮影し、撮影されたユーザが、ロッキング解除画面に表示されたカードのユーザであるか否かを認証することができる。また、例えば、デバイス１０００は、ユーザの虹彩を認識することにより、ユーザを認証することができる。また、例えば、デバイス１０００は、ユーザの音声を録音し、録音された音声に基づいて、ユーザを認証することもできる。
【００７４】
一方、ユーザが、カード推薦リストから所定のカードを選択すれば、選択されたカードに係わる決済ウィンドウがデバイス１０００の画面に表示されもする。デバイス１０００の画面に表示された決済ウィンドウは、カード情報、クーポン情報、決済金額及びＰＩＮコード入力のフィールドを含んでもよい。また、ユーザは、ＰＩＮコード入力フィールドに、選択されたカードに係わるＰＩＮコードを入力することにより、選択されたカードを介した決済を認証させることができる。
【００７５】
また、選択されたカードを介した決済が安全に行われる場合、決済ウィンドウの一部または全部が、既設定の色相で表示されもする。デバイス１０００は、選択されたカードに係わる決済情報が、安全にＰＯＳ端末２０００及びサーバ３０００に伝送されるか否かを確認し、決済情報が安全に伝送される場合、ユーザがあらかじめ設定した色相で決済ウィンドウを表示することができる。デバイス１０００は、ＰＯＳ端末２０００及びサーバ３０００から、別途の認証情報を受信することにより、選択されたカードに係わる決済情報が、ＰＯＳ端末２０００及びサーバ３０００に安全に伝送されるか否かを確認することができるが、それに制限されるものではない。
【００７６】
段階Ｓ２３０で、デバイス１０００は、選択されたカードに係わるカード情報を提供する。段階Ｓ２３０で、デバイス１０００は、近距離通信を介して、ＰＯＳ端末２０００にカード情報を提供することができる。デバイス１０００は、カード番号、カードの有効期間、カードのパスワードに係わる情報を、ＰＯＳ端末２０００に提供することができるが、それに制限されるものではない。また、デバイス１０００は、選択されたカードに対応するクーポンが、デバイス１０００に保存されているか否かを判断して、選択されたカードに係わるカード情報、及びデバイス１０００に保存されたクーポン情報を、ＰＯＳ端末２０００に提供することができる。その場合、ＰＯＳ端末２０００は、カード情報及びクーポン情報を利用して、クーポン情報が反映された金額を、決済サーバ３０００を介して決済することができるが、それに制限されるものではない。
【００７７】
図２のフローチャートは、他の実施形態に適用されることもできる。例えば、図２のフローチャートは、前記で言及された、旅行者が搭乗のためのチェックイン及び荷物チェックを行うシナリオに適用されもする。
【００７８】
段階Ｓ２００で、旅行者のモバイルフォンは、パスポート、運転免許証及びクレジットカードそれぞれに係わる情報を保存する。また、段階Ｓ２０５で、旅行者のモバイルフォンは、前記アイテムそれぞれに係わる使用履歴情報を保存する。段階Ｓ２１０で、旅行者は、モバイルフォンを利用して、搭乗のためのチェックインと荷物チェックとに係わる情報を獲得する。段階Ｓ２２０で、モバイルフォンは、チェックイン及び荷物チェックを行うために利用されるアイテムを選択し、段階Ｓ２２５で、モバイルフォンは、使用されるアイテムに係わる推薦情報を、画面上にディスプレイする。段階Ｓ２３０で、モバイルフォンは、選択されたアイテムに係わる関連情報を、第２デバイス２０００に伝送する。第２デバイス２０００は、チェックイン及び荷物チェックのプロセスを行うために、航空会社によって利用され、例えば、航空会社のウェブサイトに連結されたコンピュータまたはキオスクでもある。
【００７９】
同様に、図２のフローチャートは、前記で言及された、ソーシャルメディア・ユーザが、最近の経験に係わる情報をアップロードするシナリオに適用されもする。
【００８０】
段階Ｓ２００で、ソーシャルメディア・ユーザのモバイルフォンは、写真、テキスト・メッセージ及びＵＲＬ（uniform resource locator）それぞれに係わる情報を保存する。また、段階Ｓ２０５で、ソーシャルメディア・ユーザのモバイルフォンは、それらアイテムそれぞれに係わる使用履歴情報を保存する。また、段階Ｓ２１０で、ソーシャルメディア・ユーザは、モバイルフォンを利用して、アップロードに係わる情報（例えば、アップロードが行われる無線連結のスループットレートまたはデータ伝送率）を獲得する。また、段階Ｓ２２０で、モバイルフォンは、アップロードの遂行と係わって利用されるアイテムを選択する。また、段階Ｓ２２５で、モバイルフォンは、使用されるアイテムに係わる推薦情報を、画面上にディスプレイする。また、段階Ｓ２３０で、モバイルフォンは、選択されたアイテムに係わる関連情報を、第２デバイス２０００に伝送する。第２デバイス２０００は、アップロード遂行のために利用され、例えば、コンピュータ端末またはＷｉＦｉ連結のためのホットスポット（hot spot）でもある。
【００８１】
図３は、本発明の一実施形態による、デバイス１０００がカード推薦リストを表示し、ユーザ入力によって、決済に利用されるカードを選択する方法のフローチャートである。
【００８２】
段階Ｓ３００で、デバイス１０００は、ディスプレイ・モードを確認する。ディスプレイ・モードは、横ビューモード及び縦ビューモードを含んでもよいが、それに制限されるものではない。
【００８３】
段階Ｓ３１０で、デバイス１０００は、ディスプレイ・モードが横ビューモードであるか否かを判断する。デバイス１０００は、デバイス１０００内の重力センサを利用して、デバイス１０００のディスプレイ・モードが横ビューモードであるか、あるいは縦ビューモードであるかを判断することができる。
【００８４】
段階Ｓ３１０での判断結果、デバイス１０００のディスプレイ・モードが横ビューモードである場合、段階Ｓ３２０で、デバイス１０００は、推薦カードのリストを表示する。段階Ｓ３２０で、デバイス１０００は、カード情報、カード恩典情報及び決済履歴を利用して、獲得された決済環境で決済に利用されるカードを推薦することができる。例えば、デバイス１０００が、１１：００〜１４：００で交通費を決済する場合、「カードＡ」及び「カードＤ」を推薦し、推薦された「カードＡ」及び「カードＤ」のリストを、画面にディスプレイすることができる。
【００８５】
段階Ｓ３３０で、デバイス１０００は、決済に利用されるカードを選択する。段階３３０で、デバイス１０００は、カード推薦リストに係わるユーザ入力に基づいて、決済に利用されるカードを選択することができる。
【００８６】
段階Ｓ３１０での判断結果、デバイス１０００のディスプレイ・モードが縦ビューモードである場合、段階Ｓ３３０で、デバイス１０００は、ユーザ入力なしに、決済に利用されるカードを自動的に選択することができる。
【００８７】
図４は、本発明の一実施形態によるデバイス１０００が、決済履歴に含まれた項目によって、カード別に優先順位を設定したテーブルの一例を図示した図面である。図４で設定された優先順位は、デバイス１０００が決済環境に係わるカードを、カード情報から抽出するのに利用されるが、それに制限されるものではない。
【００８８】
図４に図示されたように、カードの優先順位設定テーブルは、時間フィールド４０、位置フィールド４２、金額フィールド４４、積み立て限度フィールド４６、決済用途フィールド４８を含んでもよい。時間フィールド４０には、決済時間、及び決済時間に係わるカードの優先順位値が記録されもする。例えば、決済時間が１１：００〜１４：００である場合、カードＡないしカードＤに対応する優先順位値が、「１」、「２」、「３」、「４」と記録されもする。
【００８９】
また、位置フィールド４２には、デバイス１０００の位置に係わる値が記録される。位置フィールド４２には、売り場名、及び売り場名に対応するカードの優先順位値が記録されもする。例えば、売り場名が「売り場Ａ」である場合、カードＡないしカードＤに対応する優先順位値が、「２」、「４」、「１」、「３」と記録されもする。
【００９０】
また、金額フィールド４４には、決済金額、及び決済金額に係わるカードの優先順位値が記録されもする。例えば、決済金額が３万ウォン以下である場合、カードＡないしカードＤに対応する優先順位値が、「２」、「１」、「３」、「４」と記録されもする。
【００９１】
また、積み立て限度フィールド４６には、積み立て限度金額、及び積み立て限度金額に対応するカードの優先順位値が記録されもする。例えば、積み立て限度金額が３０万ウォン／月である場合、カードＡないしカードＤに対応する優先順位値が、「３」、「２」、「１」、「４」と記録されもする。
【００９２】
また、決済用途フィールド４８には、カードの用途、及び用途に係わるカードの優先順位値が記録されもする。例えば、決済用途が交通費である場合、カードＡないしカードＤに対応する優先順位値が、「２」、「３」、「４」、「１」と記録されもする。
【００９３】
また、時間フィールド４０、加盟店フィールド４２、金額フィールド４４、積み立て限度フィールド４６、決済用途フィールド４８には、加重値（weight value）がそれぞれ「１０」、「１０」、「２０」、「４０」、「６０」と記録されもする。例えば、１１：００〜１４：００で「３万ウォン以下」の金額が決済される場合、時間に係わる加重値「１０」、金額に係わる加重値「２０」を考慮し、「カードＡ」ないし「カードＤ」の優先順位が決定されもする。
【００９４】
図５は、本発明の一実施形態による、デバイス１０００によって推薦されたカード別恩典情報テーブルの一例を図示した図面である。
【００９５】
図５のテーブルを参照すれば、デバイス１０００によって推薦されたカード別恩典情報がディスプレイされる。例えば、デバイス１０００が、加盟店「Ｚ」で物品「Ｙ」を決済する場合、デバイス１０００は、決済環境に基づいて、カード「Ａ」、カード「Ｂ」及びカード「Ｃ」を推薦し、推薦されたカードのリストを画面にディスプレイする。また、それぞれのカード別に、加盟店「Ｚ」で物品「Ｙ」を決済するときに付与される恩典についての情報を共にディスプレイすることができる。恩典情報は、割引情報、ポイント積み立て情報及びクーポン情報を含んでもよい。
【００９６】
図６は、本発明の一実施形態による、デバイス１０００が決済環境の優先順位によって、カードを抽出する方法の一例を図示した図面である。図６では、デバイス１０００が図４のテーブルを利用して、カードを抽出することによって説明したが、それに制限されるものではない。
【００９７】
段階Ｓ６００で、デバイス１０００は、デバイス１０００が売り場「Ａ」で決済するか否かを判断する。段階Ｓ６００での判断結果、デバイス１０００が売り場「Ａ」で決済すれば、段階Ｓ６０２で、デバイス１０００は、カード情報から、「カードＣ」を抽出する。また、段階Ｓ６００での判断結果、デバイス１０００が売り場「Ａ」で決済しないのであるならば、段階Ｓ６０４で、デバイス１０００は、決済をする時間がランチタイム（昼休み）であるか否かを判断する。
【００９８】
段階Ｓ６０４での判断結果、決済時間がランチタイムであるならば、段階Ｓ６０６で、デバイス１０００は、「カードＡ」を抽出する。また、段階Ｓ６０４での判断結果、決済時間がランチタイムではないならば、段階Ｓ６０８で、デバイス１０００は、決済金額が３万ウォン以下であるか否かを判断する。
【００９９】
段階Ｓ６０８での判断結果、決済金額が３万ウォン以下であるならば、段階Ｓ６１０で、デバイス１０００は、「カードＢ」を抽出する。段階Ｓ６０８での判断結果、決済金額が３万ウォン以下ではないならば、段階Ｓ６１２で、デバイスは、「カードＤ」を抽出する。
【０１００】
図７は、本発明の一実施形態による、デバイス１０００が横ビューモードで、カードの推薦リストを表示する一例を図示した図面である。
【０１０１】
図７に図示されたように、デバイス１０００のディスプレイ・モードが横ビューモードである場合、推薦カードのリストがデバイス１０００の画面に表示される。デバイス１０００は、決済時間、決済場所、決済の用途、決済によるポイント積み立て率、ポイントの積み立て限度、決済による割引率、割引限度のうち少なくとも１つの組み合わせに基づいて、多様な基準によって推薦するカードを決定することができる。その場合、デバイス１０００は、図４及び図５のテーブルに記録された設定値を利用して、推薦カードを決定することができる。また、デバイス１０００は、決定された推薦カードのリストを、デバイス１０００の画面にディスプレイすることができる。
【０１０２】
例えば、決済時間が１３：００であり、決済用途が交通費であり、決済金額が２３，４００ウォンである場合、デバイス１０００のディスプレイ・モードが横ビューモードであるならば、図７でのように、「カードＤ」、「カードＡ」、「カードＢ」の順序で推薦カードのリストをディスプレイする。また、デバイス１０００は、推薦カードのリストに含まれた「カードＡ」に対するユーザ入力に基づいて、「カードＡ」を選択し、選択された「カードＡ」に係わるカード情報を、ＰＯＳ端末２０００に提供することができる。
【０１０３】
もし、デバイス１０００のディスプレイ・モードが縦ビューモードであるならば、デバイス１０００は、推薦カードのリストを表示せず、「カードＤ」を自動的に選択し、「カードＤ」に係わるカード情報を、ＰＯＳ端末２０００に伝送することができる。
【０１０４】
図８は、本発明の一実施形態による、デバイス１０００のロッキング解除画面上に、カードイメージが表示される一例を図示した図面である。
【０１０５】
図８を参照すれば、デバイス１０００のロッキング解除画面上にロッキング解除ボタンが表示され、所定のカードイメージがロッキング解除ボタン上にそれぞれオーバーラップされて表示される。その場合、ロッキング解除画面上に表示されるカードイメージは、相対デバイス２０００を介して決済可能であるカードのイメージでもある。また、カードイメージは、カードの種類、カードに係わるポイント積み立て率及び割引率に係わる情報に基づいて、既設定の基準によって配列される。
【０１０６】
図９Ａ，Ｂは、本発明の一実施形態による、デバイス１０００に表示された決済ウィンドウの一例を図示した図面である。
【０１０７】
本発明の一実施形態によるデバイス１０００に表示されたカード推薦リストから、所定のカードが選択されれば、図９Ａでのような決済ウィンドウがデバイス１０００の画面に表示される。また、図９Ａの決済ウィンドウには、カード名９０、決済金額９２、カード情報９４及び恩典情報９６が表示される。決済金額９２は、物品の金額及び物品に割引が適用された金額を含んでもよい。また、恩典情報９６は、例えば、クーポン情報を含んでもよい。
【０１０８】
また、図９Ａの決済ウィンドウで、カード決済を選択すれば、カードに係わるＰＩＮコードを入力するための決済ウィンドウが、図９Ｂのように表示される。また、ユーザは、図９Ｂの決済ウィンドウに、ＰＩＮコードを入力することにより、選択されたカードを介した決済を認証させることができる。
【０１０９】
また、デバイス１０００は、選択されたカードに係わる決済情報が、安全にＰＯＳ端末２０００及びサーバ３０００に伝送されるか否かを確認し、決済情報が安全に伝送される場合、ユーザがあらかじめ設定した色相で、決済ウィンドウの一部９８を表示することができる。その場合、決済ウィンドウの一部９８は、複数の色相の組み合わせで表示されるが、それに制限されるものではない。決済ウィンドウの一部９８は、既設定のパターンを含むように表示されもする。
【０１１０】
図１０は、本発明の一実施形態による、デバイス１０００のロッキング解除画面上に、カード情報が表示される一例を図示した図面である。
【０１１１】
図１０を参照すれば、デバイス１０００のロッキング解除画面上に、推薦されたカードのカード名、決済金額、カード情報及び恩典情報が表示される。その場合、画面のロッキングを解除するためのユーザインターフェースが表示されないこともある。
【０１１２】
デバイス１０００の画面がロッキングされた状態で、デバイス１０００がＰＯＳ端末２０００に近接すれば、デバイス１０００は、ロッキング解除画面上に推薦されたカードに係わるカード情報を表示することができる。また、ユーザがロッキング解除画面上に表示された推薦されたカードを選択すれば、デバイス１０００は、推薦されたカードを介した決済プロセスをすぐ遂行することができる。
【０１１３】
図１１Ａ，Ｂは、本発明の一実施形態による、ディスプレイ・モードによって、デバイス１０００の画面にカード情報が異なって表示される一例を図示した図面である。
【０１１４】
図１１Ａを参照すれば、デバイス１０００のディスプレイ・モードが縦モードである場合、デバイス１０００で使用されるカードに係わるリスト１０、ユーザの財務状態（financial standing）についての情報１２、及びデバイス１０００を介して決済することができる物品に係わる情報１４が表示されもする。デバイス１０００で使用されるカードに係わるリスト１０には、デバイス１０００に保存されたカードの一部が表示され、ユーザの財務状態についての情報１２は、グラフと共に詳細に表示される。また、デバイス１０００を介して決済することができる物品に係わる情報１４は、他のユーザが推薦する物品に係わる詳細情報を含んでもよい。
【０１１５】
また、図１１Ｂを参照すれば、デバイス１０００のディスプレイ・モードが横モードである場合、デバイス１０００の画面には、クーポン及び財務状態に係わる情報１６、及びデバイス１０００で利用されるカードリスト１８が表示される。デバイス１０００で利用されるカードリスト１８には、クレジットカード、ＩＤ（identification）カード、ポイントカード及びチケットに係わるリストが区別されて表示される。
【０１１６】
図１２は、本発明の一実施形態によるデバイス１０００のブロック図である。
【０１１７】
図１２に図示されたように、本発明の一実施形態によるデバイス１０００は、カード情報保存部１１００、カード履歴保存部１１０５、決済環境情報獲得部１２００、カード選択部１３００、カード情報提供部１４００、メモリ１５００、送受信部１６００及び制御部１７００を含む。カード情報保存部１１００、カード履歴保存部１１０５、決済環境情報獲得部１２００、カード選択部１３００、カード情報提供部１４００それぞれは、例えば、デバイス１０００のハードウェア・コンポーネントとして具現されたり、あるいはデバイス１０００に保存されたソフトウェア・モジュールで具現されもする。
【０１１８】
カード情報保存部１１００は、カード情報及びカード恩典情報を保存する。カード情報保存部１１００は、ユーザ入力に基づいて、ユーザが所持したカードに係わる情報を保存することができる。カード情報は、カードの種類、カード番号及びカードの有効期間に係わる情報を含んでもよい。また、カード情報保存部１１００は、決済サーバ３０００からカード情報を受信し、受信されたカード情報を保存することもできる。決済サーバ３０００は、クレジットカード社で運営するサーバでもあるが、それに制限されるものではない。その場合、カード情報保存部１１００は、デバイス１０００に保存されたユーザ・プロファイル情報を決済サーバ３０００に提供し、決済サーバ３０００から提供されたユーザ・プロファイル情報に対応するカード情報を受信することができる。また、ユーザが新規に発給されたカードがある場合、デバイス１０００は、新規に発給されたカードに係わるカード情報を受信することもできる。
【０１１９】
また、カード情報保存部１１００は、ユーザ入力に基づいて、デバイス１０００に保存されたカード別に、カード恩典情報を保存することができる。カード情報保存部１１００は、カード恩典情報を入力するためのユーザインターフェースを提供することができ、ユーザは、ユーザインターフェースを介して、デバイス１０００に保存されたカード別カード恩典情報を入力することができる。また、カード情報保存部１１００は、決済サーバ３０００からカード恩典情報を受信し、受信されたカード恩典情報を保存することができる。カード恩典情報は、カード別にマッチングされて保存され、例えば、価格割引情報、ポイント積み立て情報及びクーポン情報を含んでもよい。また、カード恩典情報は、カードが利用される加盟店について異なる恩典についての情報を含んでもよい。
【０１２０】
カード履歴保存部１１０５は、ユーザのカード使用履歴を保存する。カード使用履歴は、例えば、決済に利用されたカード番号、決済時間、決済日付、加盟店名、決済位置、物品名、及びカード決済時に提供された恩典に係わる情報を含んでもよい。ユーザがデバイス１０００を介してカード決済をする場合、カード履歴保存部１１０５は、決済に利用されたカードの使用履歴を保存することができるが、それに制限されるものではない。デバイス１０００を介したカード履歴情報が、決済サーバ３０００に累積して保存され、カード履歴保存部１１０５は、決済サーバ３０００に保存されたカード履歴情報を、決済サーバ３０００から受信することもできる。
【０１２１】
決済環境情報獲得部１２００は、決済環境に係わる情報を獲得する。ユーザがデバイス１０００を介してカード決済を試みる場合、決済環境情報獲得部１２００は、決済環境に係わる情報を獲得することができる。決済環境情報獲得部１２００は、決済環境に係わる情報をデバイス１０００内のセンサ、ＰＯＳ端末２０００及び決済サーバ３０００のうち少なくとも一つから獲得することができる。決済環境に係わる情報は、決済時間、決済位置、加盟店及び物品に係わる情報を含んでもよい。
【０１２２】
具体的には、決済環境情報獲得部１２００は、デバイス１０００の位置に係わる情報を獲得し、獲得された位置情報に基づいて、決済を行う加盟店を確認することができる。例えば、決済環境情報獲得部１２００は、ＧＰＳセンサ（図示せず）を利用して、デバイス１０００の位置に係わるＧＰＳ値を確認することができる。また、決済環境情報獲得部１２００は、デバイス１０００と連結されたＡＰ識別値を確認することができる。また、決済環境情報獲得部１２００は、ＧＰＳ値及びＡＰ識別値のうち少なくとも一つに基づいて、デバイス１０００が位置した加盟店を確認することができる。その場合、ＧＰＳ値及びＡＰ識別値に対応する加盟店の情報が、デバイス１０００または別途のサーバ（図示せず）にあらかじめ保存されている。
【０１２３】
また、決済環境情報獲得部１２００は、決済の対象になる物品に係わる物品情報を確認することができる。決済環境情報獲得部１２００は、物品情報を、物品に付着したマーカーを介して確認することができるが、それに制限されるものではない。決済環境情報獲得部１２００は、ＰＯＳ端末２０００から物品情報を確認することもできる。
【０１２４】
また、決済環境情報獲得部１２００は、加盟店及び物品に係わる情報に基づいて、カード別に、ポイント積み立て率、ポイント積み立て限度、割引率及び割引限度を確認することができる。加盟店及び物品によるポイント積み立て率、ポイント積み立て限度、割引率及び割引限度に係わる情報は、デバイス１０００または別途のサーバ（図示せず）にあらかじめ保存されている。
【０１２５】
カード選択部１３００は、決済環境に基づいて、決済に利用されるカードを選択する。カード選択部１３００は、カード情報、カード恩典情報及び決済履歴を利用して、獲得された決済環境で決済に利用されるカードを決定することができる。
【０１２６】
具体的には、カード選択部１３００は、カード決済履歴に基づいて、獲得された決済環境で、既設定の数値以上使用されたカードを抽出することができる。例えば、加盟店「Ａ」で、カード「Ａ」、カード「Ｂ」、カード「Ｃ」及びカード「Ｄ」が使用され、獲得された決済環境に含まれた加盟店が「Ａ」であるならば、カード選択部１３００は、カード情報から、カード「Ａ」、カード「Ｂ」、カード「Ｃ」及びカード「Ｄ」を抽出することができる。また、例えば、加盟店「Ａ」で、カード「Ｃ」、カード「Ａ」が既設定の数値以上に利用された場合、獲得された決済環境に含まれた加盟店が「Ａ」であるならば、カード選択部１３００は、カード情報からカード「Ｃ」、カード「Ａ」を抽出することができる。
【０１２７】
また、例えば、「１１：００〜１４：００」で、カード「Ａ」、カード「Ｂ」、カード「Ｃ」及びカード「Ｄ」が使用され、獲得された決済環境に含まれた決済時間が、「１１：００〜１４：００」であるならば、カード選択部１３００は、カード情報からカード「Ａ」、カード「Ｂ」、カード「Ｃ」及びカード「Ｄ」を抽出することができる。また、例えば、「１１：００〜１４：００」で、使用されたカードのうち、カード「Ａ」、カード「Ｂ」の優先順位が高い場合、獲得された決済環境に含まれた加盟店が「Ａ」であるならば、カード選択部１３００は、カード情報からカード「Ａ」、カード「Ｂ」を抽出することができる。その場合、カードに係わる優先順位は、既設定の基準によって決定されるか、あるいはユーザ入力に基づいて決定される。また、カードに係わる優先順位を、カード別恩典を反映させて決定するが、それに制限されるものではない。
【０１２８】
また、カード選択部１３００は、決済履歴及び決済環境に含まれた複数の項目を考慮してカードを抽出することもできる。その場合、カード選択部１３００は、決済履歴及び決済環境に含まれた項目別に所定の加重値を適用し、複数の項目に係わる加重値を考慮し、獲得された決済環境で抽出するカードを決定することができる。
【０１２９】
また、カード選択部１３００は、カード恩典情報に基づいて、抽出されたカードに係わる恩典を比較することができ、既設定の数値以上のカードを推薦することができる。カード選択部１３００は、ユーザが好むカード恩典の種類、または恩典を金額に算出した金額などを考慮し、推薦するカードを決定することができる。また、カード選択部１３００は、カード別に提供される恩典についての情報を画面にディスプレイし、ユーザがディスプレイされた恩典情報に基づいて、所定のカードを選択するようにすることができる。
【０１３０】
その場合、カード選択部１３００は、カードに係わる恩典情報を、決済サーバ３０００から受信することができる。カード選択部１３００は、デバイス１０００に保存されたカードに係わる情報を決済サーバ３０００に伝送し、決済サーバ３０００から、カードに係わる恩典情報を受信することができるが、それに制限されるものではない。
【０１３１】
カード選択部１３００は、商店の端末（図示せず）からカード恩典情報を受信することもできる。その場合、商店の端末（図示せず）は、当該商店で恩典を付与するカードの種類及び恩典に係わる情報を商店内のデバイス１０００に伝送することができる。商店の端末（図示せず）は、ＳＭＳ／ＭＭＳを介して、デバイス１０００に恩典情報を提供することができるが、それに制限されるものではない。また、商店の端末（図示せず）は、ＷｉＦｉネットワークを介して、恩典情報をデバイス１０００に提供することができる。
【０１３２】
また、カード選択部１３００は、ディスプレイ・モードによって、決済に利用されるカードを自動的に選択したり、あるいはユーザ入力によって選択することができる。例えば、カード選択部１３００は、ディスプレイ・モードが縦ビューモードである場合、決済に利用されるカードを、ユーザ入力なしに自動的に選択することができる。また、カード選択部１３００は、ディスプレイ・モードが横ビューモードである場合、決済に利用される推薦カードのリストを画面に表示し、ユーザ入力に基づいて、カードを選択することができる。しかし、それに制限されるものではない。カード選択部１３００は、ディスプレイ・モードが縦ビューモードである場合、決済に利用されるカードをユーザ入力によって選択し、ディスプレイ・モードが横ビューモードである場合、ユーザ入力なしにカードを選択することもできる。
【０１３３】
一方、デバイス１０００は、決済に利用されるカードの推薦リストを、デバイス１０００のロッキング解除画面上に表示することもできる。例えば、推薦されたカードのイメージは、デバイス１０００のロッキング解除画面上に表示されたロッキング解除ボタン上に表示されるが、それに制限されるものではない。
【０１３４】
その場合、ユーザがロッキング解除画面に表示されたカードイメージを選択すれば、選択されたカードに係わるＰＩＮ番号を入力することができるユーザインターフェースがディスプレイされるが、それに制限されるものではない。ユーザがロッキング解除画面に表示されたカードイメージをタッチすれば、デバイス１０００は、ユーザのタッチ入力に基づいて、ユーザの指紋を認識し、認識された指紋に基づいて、デバイス１０００のロッキングを解除して決済を行うことができる。
【０１３５】
また、ユーザがロッキング解除画面に表示されたカードイメージを選択すれば、ユーザイメージ及び音声に基づいて、ユーザを認証することもできる。例えば、デバイス１０００は、ユーザの顔を撮影し、撮影されたユーザが、ロッキング解除画面に表示されたカードのユーザであるか否かを認証することができる。また、例えば、デバイス１０００は、ユーザの虹彩を認識することにより、ユーザを認証することができる。また、例えば、デバイス１０００は、ユーザの音声を録音し、録音された音声に基づいて、ユーザを認証することもできる。
【０１３６】
一方、ユーザがカード推薦リストから所定のカードを選択すれば、デバイス１０００は、選択されたカードに係わる決済ウィンドウをデバイス１０００の画面に表示する。デバイス１０００の画面に表示された決済ウィンドウは、カード情報、クーポン情報、決済金額及びＰＩＮコード入力のフィールドを含んでもよい。また、ユーザは、ＰＩＮコード入力フィールドに選択されたカードに係わるＰＩＮコードを入力することにより、選択されたカードを介した決済を認証させることができる。
【０１３７】
また、選択されたカードを介した決済が安全である場合、決済ウィンドウの一部または全部が既設定の色相で表示される。デバイス１０００は、選択されたカードに係わる決済情報が、安全にＰＯＳ端末２０００及びサーバ３０００に伝送されるか否かを確認し、決済情報が安全に伝送される場合、ユーザがあらかじめ設定した色相で、決済ウィンドウを表示することができる。デバイス１０００は、ＰＯＳ端末２０００及びサーバ３０００から、別途の認証情報を受信することにより、選択されたカードに係わる決済情報が、ＰＯＳ端末２０００及びサーバ３０００に安全に伝送されるか否かを確認することができるが、それに制限されるものではない。
【０１３８】
カード情報提供部１４００は、選択されたカードに係わるカード情報を提供する。デバイス１０００は、近距離通信を介して、ＰＯＳ端末２０００にカード情報を提供することができる。デバイス１０００は、カード番号、カードの有効期間、カードのパスワードに係わる情報を、ＰＯＳ端末２０００に提供することができるが、それに制限されるものではない。
【０１３９】
また、カード情報提供部１４００は、選択されたカードに対応するクーポンが、デバイス１０００に保存されているか否かを判断し、選択されたカードに係わるカード情報、及びデバイス１０００に保存されたクーポン情報を、ＰＯＳ端末２０００に提供することができる。その場合、ＰＯＳ端末２０００は、カード情報及びクーポン情報を利用して、クーポン情報が反映された金額を、決済サーバ３０００を介して決済することができるが、それに制限されるものではない。
【０１４０】
メモリ１５００は、デバイス１０００が多様な決済環境によって、適切なカードを選択し、選択されたカードに係わるカード情報を、ＰＯＳ端末２０００に提供するのに必要な各種の情報を保存する。メモリ１５００は、決済環境に係わるカードの優先順位、決済環境の優先順位に係わる情報を保存することができる。
【０１４１】
送受信部１６００は、デバイス１０００が多様な決済環境によってカードを選択するために必要な情報、及び選択されたカードに係わるカード情報を、ＰＯＳ端末２０００及び決済サーバ３０００と送受信する。
【０１４２】
制御部１７００は、デバイス１０００全体の動作を制御し、デバイス１０００が多様な決済環境によって、適切なカードを選択し、選択されたカードに係わるカード情報をＰＯＳ端末２０００に提供するように、カード情報保存部１１００、カード履歴保存部１１０５、決済環境情報獲得部１２００、カード選択部１３００、カード情報提供部１４００、メモリ１５００及び送受信部１６００を制御する。また、制御部１７００は、推薦されたり、あるいはユーザによって選択されたカードに係わる決済ウィンドウを表示することができ、デバイス１０００のディスプレイ・モードによって、カード情報を異なって表示することができる。
【０１４３】
また、制御部１７００は、デバイス１０００の位置情報をカードとマッチングさせ、デバイス１０００の位置によって、所定のカードを推薦することができる。また、制御部１７００は、ユーザのスケジュール情報から商店名を抽出し、抽出された商店名に所定のカードをマッチングさせることができる。
【０１４４】
図１３は、本発明の他の実施形態によるデバイス１０００のブロック図である。
【０１４５】
移動通信部１００１は、３Ｇ（3rd generation）／４Ｇ（4th generation）のようなセルラ・ネットワークを介して、基地局とのコール設定、データ通信などを行う。サブ通信部１００２は、ブルートゥースやＮＦＣ（near field communication）のような近距離通信のための機能を行う。放送部１００３は、ＤＭＢ（digital multimedia broadcasting）放伝送号を受信する。
【０１４６】
カメラ部１００４は、写真や動画を撮影するためのレンズ及び光学素子を含む。
【０１４７】
センサ部１００５は、デバイス１０００の動きを感知する重力センサ、光の明るさを感知する照度センサ、人の近接度を感知する近接センサ、人の動きを感知するモーションセンサなどを含んでもよい。
【０１４８】
ＧＰＳ受信部１００６は、人工衛星からＧＰＳ信号を受信する。このようなＧＰＳ信号を利用して、多様なサービスがユーザに提供されもする。
【０１４９】
入出力部１０１０は、外部機器と人とのインターフェースを提供し、ボタン１０１１、マイク１０１２、スピーカ１０１３、振動モータ１０１４、コネクタ１０１５、キーパッド１０１６を含む。
【０１５０】
タッチスクリーン１０１８は、ユーザのタッチ入力を受信する。ここでのタッチ入力は、ドラッグ・ジェスチャによるものであってもよく、あるいはタップ・ジェスチャによるものであってもよい。タッチスクリーン・コントローラ１０１７は、タッチスクリーン１０１８を介して入力されたタッチ入力を、制御部１０５０に伝達する。電源供給部１０１９は、デバイス１０００に必要な電力を供給するために、バッテリまたは外部電源ソースと連結される。
【０１５１】
制御部１０５０は、メモリ１０６０に保存されたプログラムを実行することにより、決済環境によってカードを選択し、選択されたカードに係わるカード情報を、ＰＯＳ端末２０００に提供する。
【０１５２】
メモリ１０６０に保存されたプログラムは、その機能によって複数個のモジュールに分類することができるが、移動通信モジュール１０６１、ＷｉＦｉモジュール１０６２、ブルートゥース・モジュール１０６３、ＤＭＢモジュール１０６４、カメラ・モジュール１０６５、センサ・モジュール１０６６、ＧＰＳモジュール１０６７、動画再生モジュール１０６８、オーディオ再生モジュール１０６９、電源モジュール１０７０、タッチスクリーン・モジュール１０７１、ＵＩ（user interface）モジュール１０７２、アプリケーション・モジュール１０７３などに分類されもする。各モジュールの機能は、その名称から、当業者が直観的に推論することができるであろう。
【０１５３】
ここでは、アプリケーション・モジュール１０７３についてのみ説明する。アプリケーション・モジュール１０７３は、カード別に、カード情報及びカード履歴情報を保存する。
【０１５４】
また、アプリケーション・モジュール１０７３は、決済環境に係わる情報を獲得する。アプリケーション・モジュール１０７３は、決済環境に係わる情報を、ＷｉＦｉモジュール１０６２、カメラ・モジュール１０６５、センサ・モジュール１０６６、ＧＰＳモジュール１０６７を利用して、獲得することができる。また、アプリケーション・モジュール１０７３は、決済環境に係わる情報を、ＰＯＳ端末２０００及び決済サーバ３０００のうち少なくとも一つから獲得することもできる。
【０１５５】
アプリケーション・モジュール１０７３は、カード情報、カード恩典情報及び決済履歴を利用して、獲得された決済環境で、決済に利用されるカードを決定することができる。
【０１５６】
アプリケーション・モジュール１０７３は、決済時間、決済場所、決済の用途、決済によるポイント積み立て率、ポイントの積み立て限度、決済による割引率、割引限度のうち少なくとも１つの組み合わせに基づいて、多様な基準によって、決済環境に係わるカードの優先順位を設定することができる。また、アプリケーション・モジュール１０７３は、決済環境の優先順位によって、カードを抽出することができ、抽出されたカードの恩典を比較することにより、決済に利用されるカードを推薦することができるが、それに制限されるものではない。
【０１５７】
また、アプリケーション・モジュール１０７３は、ディスプレイ・モードによって、決済に利用されるカードを自動的に選択したり、あるいはユーザ入力によって選択することができる。
【０１５８】
また、アプリケーション・モジュール１０７３は、推薦されたり、あるいはユーザによって選択されたカードに係わる決済ウィンドウを表示することができ、デバイス１０００のディスプレイ・モードによって、カード情報を異なって表示することができる。
【０１５９】
また、アプリケーション・モジュール１０７３は、選択されたカードに係わるカード情報を、ＰＯＳ端末２０００に伝送する。アプリケーション・モジュール１０７３は、移動通信モジュール１０６１、ＷｉＦｉモジュール１０６２、ブルートゥース・モジュール１０６３及びＮＦＣモジュール（図示せず）のうち少なくとも一つを利用して、カード情報をＰＯＳ端末２０００に伝送することができる。
【０１６０】
また、アプリケーション・モジュール１０７３は、デバイス１０００の位置情報をカードとマッチングさせ、デバイス１０００の位置によって、所定のカードを推薦することができる。また、アプリケーション・モジュール１０７３は、ユーザのスケジュール情報から商店名を抽出し、抽出された商店名に所定のカードをマッチングさせることができる。
【０１６１】
図１４は、本発明の一実施形態による、デバイス１０００が位置情報及びカード情報をマッチングする方法のフローチャートである。
【０１６２】
段階Ｓ１４００で、デバイス１０００は、デバイス１０００を介してカードを使用する。例えば、デバイス１０００は、デバイス１０００に保存されたクレジットカード、ポイントカード及びメンバーシップカードのうち少なくとも一つを使用することができる。
【０１６３】
また、例えば、デバイス１０００は、デバイス１０００内に保存された割引クーポンを使用することができる。デバイス１０００は、割引クーポンを、ＳＭＳメッセージまたはＭＭＳメッセージを介して受信し、受信された割引クーポンを、デバイス１０００内に保存することができる。
【０１６４】
また、デバイス１０００は、デバイス１０００のユーザの他のデバイス（図示せず）、または外部サーバ（図示せず）に保存されたカードを使用することもできる。
【０１６５】
段階Ｓ１４１０で、デバイス１０００は、デバイス１０００の位置情報を獲得する。位置情報は、例えば、デバイス１０００のＧＰＳ値、及びデバイス１０００と連結されたＡＰ識別値に係わる情報を含んでもよい。しかし、それに制限されるものではない。
【０１６６】
段階Ｓ１４２０で、デバイス１０００は、獲得された位置情報を、使用されたカードとマッチングさせる。デバイス１０００は、使用されたカードを、デバイス１０００のＧＰＳ値、及びデバイス１０００と連結されたＡＰ識別値のうち少なくとも一つとマッチングさせることができる。また、デバイス１０００は、使用された割引クーポンを、デバイス１０００のＧＰＳ値、及びデバイス１０００と連結されたＡＰ識別値のうち少なくとも一つとマッチングさせることができる。その場合、割引クーポンは、デバイス１０００が、異なるデバイスまたはサーバから受信した文字メッセージ内に含まれるが、それに制限されるものではない。また、デバイス１０００は、割引クーポンを提供した他のデバイスまたはサーバの電話番号を、デバイス１０００のＧＰＳ値、及びデバイス１０００と連結されたＡＰ識別値のうち少なくとも一つとマッチングさせることができる。
【０１６７】
図１５は、本発明の一実施形態による、デバイス１０００が位置情報に基づいて、カードを推薦する方法のフローチャートである。
【０１６８】
段階Ｓ１５００で、デバイス１０００は、デバイス１０００の位置情報を獲得する。例えば、デバイス１０００は、デバイス１０００内のＧＰＳセンサを利用して、デバイス１０００の位置を示すＧＰＳ値を獲得することができる。また、デバイス１０００は、デバイス１０００に連結されたＡＰ識別値を利用して、デバイス１０００の位置を確認することもできる。
【０１６９】
段階Ｓ１５１０で、デバイス１０００は、デバイス１０００の位置に対応するカードを抽出する。デバイス１０００は、例えば、デバイス１０００の位置を示すＧＰＳ値、またはデバイス１０００に連結されたＡＰ識別値に対応するカードを抽出することができる。また、デバイス１０００は、例えば、デバイス１０００の位置に対応するクレジットカード、メンバーシップカード及びポイントカードのうち少なくとも一つを抽出することができる。また、デバイス１０００は、例えば、デバイス１０００の位置に対応する、割引クーポンまたは割引クーポンを含む文字メッセージを抽出することもできる。
【０１７０】
また、複数のカードが抽出された場合、デバイス１０００は、抽出されたカードのうち、ユーザが頻繁に使用するカードを、ユーザのカード使用履歴に基づいて、推薦することができる。また、デバイス１０００は、抽出されたカードのうち、高い割引率または積み立て率を提供するカードを、ユーザのカード使用履歴に基づいて、推薦することができる。
【０１７１】
段階Ｓ１５２０で、デバイス１０００は、抽出されたカードを、デバイス１０００の画面にディスプレイする。複数のカードが抽出された場合、デバイス１０００は、例えば、割引率及び積み立て率に基づいて、抽出されたカードを配列することができる。また、デバイス１０００は、割引クーポン、または割引クーポンを含む文字メッセージを、抽出されたカードとともにディスプレイすることができる。
【０１７２】
図１６は、本発明の一実施形態による、デバイス１０００がユーザのスケジュール情報から抽出された商店名を、カードとマッチングさせる方法のフローチャートである。
【０１７３】
段階Ｓ１６００で、デバイス１０００は、ユーザのスケジュール情報を獲得する。デバイス１０００は、デバイス１０００に設置されたカレンダー・アプリケーションを介して、デバイス１０００に保存されたユーザのスケジュール情報を、獲得することができる。デバイス１０００に設置されたカレンダー・アプリケーションを介して、デバイス１０００に保存されたユーザのスケジュール情報は、カレンダーの所定日付にマッチングされて保存されたスケジュールデータでもある。また、デバイス１０００は、サーバに保存されたユーザのスケジュール情報を、サーバから受信することができる。
【０１７４】
段階Ｓ１６１０で、デバイス１０００は、ユーザのスケジュール情報から商店名を抽出する。例えば、ユーザのスケジュール情報に、「４／１５、１８：００、ＸＸデパートで友達とミーティング」が含まれていれば、デバイス１０００は、「ＸＸデパート」をスケジュール情報から抽出することができる。その場合、多様な商店の名称がデバイス１０００またはサーバにあらかじめ保存され、デバイス１０００は、保存された商店の名称に基づいて、「ＸＸデパート」をスケジュール情報から抽出することができる。
【０１７５】
段階Ｓ１６２０で、デバイス１０００は、抽出された商店名と係わるカードを決定する。デバイス１０００は、ユーザのクレジットカード、メンバーシップカード及びポイントカードのうち、抽出された商店名と係わるカードを決定することができる。抽出された商店名と係わるカードは、抽出された商店名を有する商店で利用される場合、割引、クーポン及びポイントのような恩典が付与されるカードでもある。
【０１７６】
また、デバイス１０００は、ユーザの割引クーポンのうち、抽出された商店名と係わる割引クーポンを決定することができる。抽出された商店名と係わる割引クーポンは、抽出された商店名を有する商店で利用される割引クーポンでもある。
【０１７７】
複数のカードが決定された場合、デバイス１０００は、決定されたカードのうち、ユーザが頻繁に使用するカードを、ユーザのカード使用履歴に基づいて、推薦することができる。また、デバイス１０００は、決定されたカードのうち、高い割引率または積み立て率を提供するカードを、ユーザのカード使用履歴に基づいて、推薦することができる。
【０１７８】
段階Ｓ１６３０で、デバイス１０００は、抽出された商店名を、決定されたカードとマッチングさせる。また、デバイス１０００は、抽出された商店名を、決定された割引クーポンとマッチングさせることができる。また、デバイス１０００は、商店名に係わる位置情報を収集し、収集された位置情報を保存することができる。その場合、商店名に係わる位置情報は、例えば、商店の位置を示すＧＰＳ値、商店のＰＯＳ端末２０００の識別値、及び商店に設置されたＡＰ識別値を含んでもよいが、それに制限されるものではない。
【０１７９】
図１７は、本発明の一実施形態による、デバイス１０００が所定の商店名にマッチングされたカードに係わるカード情報をディスプレイする方法のフローチャートである。
【０１８０】
段階Ｓ１７００で、デバイス１０００は、カードが利用される商店名を決定する。デバイス１０００は、デバイス１０００の現在位置を示すＧＰＳ値を獲得し、獲得されたＧＰＳ値に対応する商店名を、カードが利用される商店名であると決定することができる。また、デバイス１０００は、デバイス１０００と連結されたＡＰ識別値をＡＰから受信し、受信されたＡＰ識別値に対応する商店名を、カードが利用される商店名と決定することができる。その場合、ＡＰの識別値は、例えば、ＡＰのＳＳＩＤ（service set identifier）及びＡＰのＭＡＣ（media access control）アドレスを含んでもよいが、それに制限されるものではない。また、デバイス１０００は、ユーザから商店名を入力され、入力された商店名を、カードが利用される商店名と決定することができる。
【０１８１】
また、デバイス１０００は、ＰＯＳ端末２０００から商店名を受信し、受信された商店名を、カードが利用される商店名として判断することもできる。また、デバイス１０００は、ＰＯＳ端末２０００から、ＰＯＳ端末２０００の識別値を受信し、ＰＯＳ端末２０００の識別値に対応する商店名を、カードが利用される商店名と決定することができる。
【０１８２】
段階Ｓ１７１０で、デバイス１０００は、決定された商店名にマッチングされたカードを抽出する。デバイス１０００は、例えば、決定された商店名に対応するクレジットカード、メンバーシップカード及びポイントカードのうち少なくとも一つを抽出することができる。デバイス１０００は、例えば、決定された商店名に対応する、割引クーポンまたは割引クーポンを含む文字メッセージを抽出することもできる。
【０１８３】
段階Ｓ１７２０で、デバイス１０００は、抽出されたカードを、デバイス１０００の画面にディスプレイする。複数のカードが抽出された場合、デバイス１０００は、例えば、割引率及び積み立て率に基づいて、抽出されたカードを配列することができる。また、デバイス１０００は、割引クーポンまたは割引クーポンを含む文字メッセージを、抽出されたカードと共にディスプレイすることができる。
【０１８４】
図１８は、本発明の一実施形態による、デバイス１０００の画面に、デバイス１０００の位置または商店名と係わるカードがディスプレイされる一例を図示した図面である。
【０１８５】
例えば、デバイス１０００が「ＸＸデパート」に位置すれば、デバイス１０００は、デバイス１０００の位置情報、またはデバイス１０００で決定された商店名に基づいて、「ＸＸクレジットカード」、「ＸＸポイントカード」及び「ＸＸデパート割引クーポン」を、デバイス１０００の画面にディスプレイすることができる。
【０１８６】
本発明の一実施形態は、コンピュータによって実行されるプログラム・モジュールのようなコンピュータによって実行可能な命令語を含む記録媒体の形態で具現されもする。コンピュータ可読媒体は、コンピュータによってアクセスされる任意の可用媒体でもあり、揮発性媒体及び不揮発性媒体、分離型媒体及び非分離型媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュールまたはその他のデータのような情報保存のための任意の方法または技術で具現された揮発性及び不揮発性、分離型及び非分離型の媒体をいずれも含む。通信媒体は、典型的には、コンピュータ可読命令語、データ構造、プログラム・モジュール、または搬送波のような変調されたデータ信号のその他のデータ、またはその他の伝送メカニズムを含み、任意の情報伝達媒体を含む。
【０１８７】
前述の本発明の説明は、例示のためのものであり、本発明が属する技術分野の当業者であるならば、本発明の技術的思想や必須な特徴を変更せずにも、他の具体的な形態に容易に変形が可能であるということを理解することができるであろう。従って、以上で記述した実施形態は、全ての面で例示的なものであり、限定的ではないということを理解しなければならない。例えば、単一型として説明されている各構成要素は、分散して実施されもし、同様に、分散ししていると説明されている構成要素も、結合された形態で実施されもする。
【０１８８】
本発明の範囲は、前記詳細な説明であるとするよりは、特許請求の範囲によって示され、特許請求の範囲の意味及び範囲、そしてその均等概念から導き出される全ての変更または変形された形態が、本発明の範囲に含まれるものであると解釈されなければならない。
【産業上の利用可能性】
【０１８９】
本発明のインタラクション環境に基づいて、アイテムを決定する方法及びその装置は、例えば、電子商取引関連の技術分野に効果的に適用可能である。
【符号の説明】
【０１９０】
１０００    デバイス
１００１    移動通信部
１００２    サブ通信部
１００３    放送受信部
１００４    カメラ部
１００５    センサ部
１００６    ＧＰＳ受信部
１０１０    入出力部
１０１１    ボタン
１０１２    マイク
１０１３    スピーカ
１０１４    振動モータ
１０１５    コネクタ
１０１６    キーパッド
１０１７    タッチスクリーン・コントローラ
１０１８    タッチスクリーン
１０１９    電源供給部
１０５０、１７００    制御部
１０６０、１５００    メモリ
１０６１    移動通信モジュール
１０６２    ＷｉＦｉモジュール
１０６３    ブルートゥース・モジュール
１０６４    ＤＭＢモジュール
１０６５    カメラ・モジュール
１０６６    センサ・モジュール
１０６７    ＧＰＳモジュール
１０６８    動画再生モジュール
１０６９    オーディオ再生モジュール
１０７０    電源モジュール
１０７１    タッチスクリーン・モジュール
１０７２    Ｕｉモジュール
１０７３    アプリケーション・モジュール
１１００    カード情報保存部
１１０５    カード履歴保存部
１２００    決済環境情報獲得部
１３００    カード選択部
１４００    カード情報提供部
１６００    送受信部
２０００    ＰＯＳ端末
３０００    決済サーバ
【図１】
2014044719.tif 000003
【図２】
2014044719.tif 000004
【図３】
2014044719.tif 000005
【図４】
2014044719.tif 000006
【図５】
2014044719.tif 000007
【図６】
2014044719.tif 000008
【図７】
2014044719.tif 000009
【図８】
2014044719.tif 000010
【図９】
2014044719.tif 000011
【図１０】
2014044719.tif 000012
【図１１】
2014044719.tif 000013
【図１２】
2014044719.tif 000014
【図１３】
2014044719.tif 000015
【図１４】
2014044719.tif 000016
【図１５】
2014044719.tif 000017
【図１６】
2014044719.tif 000018
【図１７】
2014044719.tif 000019
【図１８】
2014044719.tif 000020